(57)【特許請求の範囲】
【請求項１】
プリント基板に実装され、電源用の電線を結線する第１相手側コンタクトを少なくとも有する相手側コネクタが挿入される電気コネクタであって、
相手側ハウジングが嵌合する開口、及びこの開口に連設された空洞のコンタクト収容室を有する直方体状のハウジングと、
このハウジングの内部に配置され、前記第１相手側コンタクトと前記プリント基板とを電気的に接続する一つ以上の第１コンタクトと、を備え、
前記第１コンタクトは、前記第１相手側コンタクトに接続する接続片と、前記ハウジングに挿入される放熱片と、を有し、
前記第１コンタクトは、前記接続片及び前記放熱片の底面を除いて前記ハウジングから露出しないように覆われ、
前記接続片及び前記放熱片は、それらの底面が前記プリント基板の一方の面に形成された放熱パターンにハンダ接合されている、電気コネクタ。
【請求項２】
前記ハウジングに圧入される圧入子、及び前記プリント基板にハンダ接合可能な接合子を有する補強タブを更に備える請求項１記載の電気コネクタ。
【請求項３】
信号用の電線を結線する第２相手側コンタクトと前記プリント基板とを電気的に接続する一つ以上の第２コンタクトを更に備える請求項１又は２記載の電気コネクタ。
【請求項４】
前記第１コンタクトが前記ハウジングの両翼に配置される一対の第１コンタクトからなり、
前記第２コンタクトが前記ハウジングの中央部に並列配置される複数の第２コンタクトからなる請求項３記載の電気コネクタ。
【請求項５】
前記相手側コネクタが前記プリント基板の一方の面と略平行に挿入される請求項１から４のいずれかに記載の電気コネクタ。
【発明の詳細な説明】
【技術分野】
【０００１】
本発明は、電気コネクタに関する。特に、少なくとも電源用電流が供給される相手側コンタクトに接続するコンタクトが放熱効果を有する電気コネクタの構造に関する。
【背景技術】
【０００２】
近年の小型化した携帯用電子機器、例えば、ノートパソコン、ＤＳＣ（Ｄｉｇｉｔａｌ  Ｓｔｉｌｌ  Ｃａｍｅｒａ）、携帯電話機、ＣＤプレイヤー、又はＭＤプレイヤーなどには、バッテリーを内蔵している。このバッテリー電源を前記電子機器に備わる回路基板（プリント基板）と接続するために、極小型、いわゆるチップサイズパッケージ型のワイヤー・ツー・ボード・コネクタ（Ｗｉｒｅ  ｔｏ  Ｂｏａｒｄ  Ｃｏｎｎｅｃｔｏｒ）を用いている。
【０００３】
前述したワイヤー・ツー・ボード・コネクタは、例えば、ソケットコネクタとベースコネクタで構成している。そして、ソケットコネクタは、バッテリーから延びるリード線の端部を圧着したソケットコンタクトを有し、ベースコネクタは、プリント基板に実装され、ソケットコンタクトに接続するブレードコンタクトを有している（例えば、特許文献１参照）。
【０００４】
しかし、特許文献１によるブレードコンタクトは、その大部分が断熱材からなるハウジングで覆われているので、ソケットコンタクトから供給される定格電流値が大きくなると、ブレードコンタクトが熱上昇するという不具合があった。
【０００５】
上記の不具合に対して、本出願人は、電源用電流が供給される相手側コンタクトに接続するコンタクトの外面の一部がハウジングから表出して放熱するように構成した電気コネクタを開示している（例えば、特許文献２参照）。
【先行技術文献】
【特許文献】
【０００６】
【特許文献１】特開２００６−１２８０３４号公報
【特許文献２】特開２０１１−１７１２５２号公報
【発明の概要】
【発明が解決しようとする課題】
【０００７】
しかしながら、特許文献２による電気コネクタは、電源用電流が供給される相手側コンタクトに接続するコンタクトの外面の一部がハウジングから露出しているので、人体に接触する心配があった。
【０００８】
電源用電流が供給される相手側コンタクトに接続するコンタクトがハウジングから露出すること無く、かつ、放熱効果を有するように電気コネクタを構成できれば、人体に接触する心配がなくなり、定格電流値を大きくすることが可能になる。更に、この電気コネクタを内蔵する電子機器の内部発熱を抑制することも可能になる。そして、以上のことが本発明の課題といってよい。
【０００９】
本発明は、このような課題に鑑みてなされたものであり、少なくとも電源用電流が供給される相手側コンタクトに接続するコンタクトがハウジングから露出することなく、かつ、放熱効果を有する電気コネクタを提供することを目的とする。
【課題を解決するための手段】
【００１０】
本発明者は、少なくとも電源用電流が供給される相手側コンタクトに接続するコンタクトをハウジングで覆うと共に、このコンタクトの底面がプリント基板の実装面に形成される放熱パターンに伝熱可能に接続するように電気コネクタを構成することにより、これらの課題が解決可能なことを見出し、これに基づいて、以下のような新たな電気コネクタを発明するに至った。
【００１１】
（１）  プリント基板に実装され、電源用の電線を結線する第１相手側コンタクトを少なくとも有する相手側コネクタが挿入される電気コネクタであって、相手側ハウジングが嵌合する開口、及びこの開口に連設された空洞のコンタクト収容室を有する直方体状のハウジングと、このハウジングの内部に配置され、前記第１相手側コンタクトと前記プリント基板とを電気的に接続する一つ以上の第１コンタクトと、を備え、前記第１コンタクトは、前記第１相手側コンタクトに接続する接続片と、前記ハウジングに挿入される放熱片と、を有し、前記第１コンタクトは、前記接続片及び前記放熱片の底面を除いて前記ハウジングから露出しないように覆われ、前記接続片及び前記放熱片は、それらの底面が前記プリント基板の一方の面に形成された放熱パターンにハンダ接合されている、電気コネクタ。
【００１２】
（１）の発明による電気コネクタは、プリント基板に実装されている。又、（１）の発明による電気コネクタは、電源用の電線を結線する第１相手側コンタクトを少なくとも有する相手側コネクタが挿入される。そして、電気コネクタは、直方体状のハウジングと一つ以上の第１コンタクトを備えている。
【００１３】
ハウジングは、相手側ハウジングが嵌合する開口と、この開口に連設された空洞のコンタクト収容室を有している。第１コンタクトは、ハウジングの内部に配置されている。第１コンタクトは、第１相手側コンタクトとプリント基板とを電気的に接続している。
【００１４】
第１コンタクトは、接続片と放熱片を有している。接続片は、第１相手側コンタクトに接続できる。放熱片は、ハウジングに挿入される。そして、接続片及び放熱片は、それらの底面がプリント基板の一方の面に形成された放熱パターンにハンダ接合される。
【００１５】
電気コネクタは、ベースコネクタ又はジャックであってよく、プリント基板に実装される。相手側コネクタは、プラグコネクタ又は電源プラグであってよく、電源用の電線を結線する第１相手側コンタクトを少なくとも有する。相手側コネクタは、後述するように、信号用の電線を結線する第２相手側コンタクトを備えることを排除しない。又、電気コネクタは、第２相手側コンタクトと接続する第２コンタクトを備えることを排除しない。
【００１６】
ハウジングは、絶縁性を有している。絶縁性のハウジングとは、非導電性の材料からなるハウジングのことであってよく、合成樹脂を成形して、所望の形状の絶縁性のハウジングを得ることができる。
【００１７】
ハウジングは、角形であってよく、角形のハウジングとは、この発明による電気コネクタ及び相手側コネクタが互いに矩形の結合面を有する角形コネクタであることを意味している。この発明による電気コネクタは、開口を有している。一方、相手側コネクタは、ヘッダ部を有している。そして、開口及びヘッダ部を互いに嵌合できる。
【００１８】
例えば、第１コンタクトは、導電性を有するベローズコンタントからなり、導電性の金属板を打ち抜き加工又は折り曲げ加工して、所望の形状の導電性の第１コンタクトを得ることができる。第１コンタクトは加工の容易性や、ばね特性、導電性などを考慮すれば、銅合金が好ましく用いられるが、銅合金に限定される訳ではない。
【００１９】
第１コンタクトは、後述するように、ハウジングの両翼に一対に配置することが好ましく、一方の第１コンタクトが正極であって、他方の第１コンタクトを負極とすることができる。この場合、第１相手側コンタクトの極性が正しく一対の第１コンタクトと接続できるように、ハウジングの開口の形状を工夫することが好ましい。又、ハウジングの外面に誤挿入防止用のマークを表示してもよく、相手側コネクタのハウジングの外面に前記マークに対応するマークを表示してもよい。
【００２０】
ハウジングは、相手側ハウジングが嵌合する開口を第１側面（前面）に設け、第１側面に開口された空洞のコンタクト収容室を設けることが好ましい。一対の第１コンタクトは、第１相手側コンタクトに接続するブレード状の接続片をコンタクト収容室の内部で対向して配置できる。又、第１側面と相反する向きに位置する第２側面（後面）から放熱片をハウジングに圧入することが好ましい。第１コンタクトは、接続片及び放熱片の底面を除いて、ハウジングから露出しないように配置されることが好ましく、人体と接触することを防止できる。
【００２１】
プリント基板は、ハンダ接合部を除いて、放熱パターンを含む一方の面がレジストで絶縁被覆することが好ましく、パターン間の短絡やパターンへの人体の接触を防止できる。放熱パターンとは、実体として、ガラスエポキシ基板などの絶縁基板に貼り付けられた銅箔であるが、ハウジングで覆われる領域から延在し、外気に放熱できるように、所定の領域を確保することが好ましい。
【００２２】
（１）の発明による電気コネクタは、少なくとも電源用電流が供給される第１相手側コンタクトに接続する第１コンタクトをハウジングで覆っているので、第１コンタクトに人体が接触する心配が無くなる。又、（１）の発明による電気コネクタは、第１コンタクトの底面がプリント基板の一方の面に形成される放熱パターンに伝熱可能にハンダ接合しているので、プリント基板に供給する定格電流値を大きくすることが可能になる。そして、この電気コネクタを内蔵する電子機器の内部発熱を抑制することも可能になる。
【００２３】
（２）  前記ハウジングに圧入される圧入子、及び前記プリント基板にハンダ接合可能な接合子を有する補強タブを更に備える（１）記載の電気コネクタ。
【００２４】
（２）の発明による電気コネクタは、プリント基板に設けたスルーホールに挿入されて、ハンダ接合される補強タブを更に備えているので、プリント基板への支持強度が補強される。又、（２）の発明による電気コネクタは、ハウジングに予め取り付けた補強タブの接合子がスルーホールに挿入されるので、プリント基板に対する電気コネクタの位置決めが容易である。
【００２５】
（３）  信号用の電線を結線する第２相手側コンタクトと前記プリント基板とを電気的に接続する一つ以上の第２コンタクトを更に備える（１）又は（２）記載の電気コネクタ。
【００２６】
信号用の電線は、バッテリーの発熱及び電子機器の内部発熱を制御する信号を送受することもできる。
【００２７】
（４）  前記第１コンタクトが前記ハウジングの両翼に配置される一対の第１コンタクトからなり、前記第２コンタクトが前記ハウジングの中央部に並列配置される複数の第２コンタクトからなる（３）記載の電気コネクタ。
【００２８】
（５）  前記相手側コネクタが前記プリント基板の一方の面と略平行に挿入される（１）から（４）のいずれかに記載の電気コネクタ。
【発明の効果】
【００２９】
本発明による電気コネクタは、少なくとも電源用電流が供給される第１相手側コンタクトに接続する第１コンタクトをハウジングで覆っているので、第１コンタクトに人体が接触する心配が無くなる。又、本発明による電気コネクタは、第１コンタクトが放熱パターンに伝熱可能にハンダ接合しているので、プリント基板に供給する定格電流値を大きくすることが可能になる。そして、この電気コネクタを内蔵する電子機器の内部発熱を抑制することも可能になる。
【図面の簡単な説明】
【００３０】
【図１】本発明の一実施形態による電気コネクタの構成を示す斜視図であり、実施形態による電気コネクタと相手側コネクタを対向配置した状態図である。
【図２】前記実施形態による電気コネクタの構成を示す斜視図であり、実施形態による電気コネクタをプリント基板に実装する前の状態図である。
【図３】前記実施形態による電気コネクタの構成を示す斜視図であり、実施形態による電気コネクタ及び相手側コネクタを底面側から観た図である。
【図４】前記実施形態による電気コネクタの構成を示す斜視分解組立図である。
【図５】相手側コネクタの構成を示す斜視分解組立図である。
【図６】前記実施形態による電気コネクタと相手側コネクタが接続された状態の縦断面図であり、図６（Ａ）は、第１相手側コンタクトと第１コンタクトが接続された状態図、図６（Ｂ）は、図６（Ａ）から第１相手側コンタクトを取り除いた状態図である。
【図７】前記実施形態による電気コネクタと相手側コネクタが接続された状態の縦断面図であり、図７（Ａ）は、第２相手側コンタクトと第２コンタクトが接続された状態図、図７（Ｂ）は、図７（Ａ）から第２相手側コンタクトを取り除いた状態図である。
【図８】前記実施形態による電気コネクタに備わるハウジングの斜視図であり、図８（Ａ）は、ハウジングを正面側から観た斜視図、図８（Ｂ）は、ハウジングを背面側から観た斜視図である。
【図９】前記実施形態による電気コネクタに備わるハウジングの外観図であり、図９（Ａ）は、ハウジングの平面図、図９（Ｂ）は、ハウジングの正面図、図９（Ｃ）は、ハウジングの底面図、図９（Ｄ）は、ハウジングの背面図、図９（Ｅ）は、ハウジングの右側面図、図９（Ｆ）は、図９（Ａ）のＡ−Ａ矢視断面図、図９（Ｇ）は、図９（Ａ）のＢ−Ｂ矢視断面図、である。
【図１０】相手側ハウジングの斜視図であり、図１０（Ａ）は、相手側ハウジングを正面側から観た斜視図、図１０（Ｂ）は、相手側ハウジングを背面側から観た斜視図である。
【図１１】前記実施形態による電気コネクタに備わる第１コンタクトの斜視図であり、図１１（Ａ）は、一方の第１コンタクトの斜視図、図１１（Ｂ）は、他方の第１コンタクトの斜視図ある。
【図１２】前記実施形態による電気コネクタに備わる第２コンタクトの斜視図である。
【図１３】前記実施形態による電気コネクタに備わる補強タブの斜視図である。
【発明を実施するための形態】
【００３１】
以下、図面を参照して本発明を実施するための形態を説明する。なお、本発明の一実施形態による電気コネクタをベースコネクタとし、相手側コネクタをプラグとして、以下に説明する。
【００３２】
［電気コネクタの構成］
最初に、本発明の第１実施形態による電気コネクタの構成を説明する。図１は、本発明の一実施形態による電気コネクタの構成を示す斜視図であり、実施形態による電気コネクタと相手側コネクタを対向配置した状態図である。図２は、前記実施形態による電気コネクタの構成を示す斜視図であり、実施形態による電気コネクタをプリント基板に実装する前の状態図である。
【００３３】
図３は、前記実施形態による電気コネクタの構成を示す斜視図であり、実施形態による電気コネクタ及び相手側コネクタを底面側から観た図である。図４は、前記実施形態による電気コネクタの構成を示す斜視分解組立図である。図５は、相手側コネクタの構成を示す斜視分解組立図である。
【００３４】
（全体構成）
図１又は図２を参照すると、実施形態によるベースコネクタ１０は、プリント基板１ｐに実装している。実施形態によるプラグ２０は、一組の電源用の電線２１ｗ・２１ｗを結線している。又、プラグ２０は、七本の信号用の電線２２ｗを結線している。ベースコネクタ１０には、プリント基板１ｐの一方の面（実装面）１１ｐと略平行にプラグ２０を挿入できる。実施形態によるベースコネクタ１０は、プラグ２０がプリント基板１ｐの一方の面１１ｐと略平行に挿入される水平取付形コネクタを構成している。
【００３５】
図３又は図４を参照すると、ベースコネクタ１０は、直方体状のハウジング１、一対のＵ字状の第１コンタクト３ａ・３ｂ、及び七つの板状の第２コンタクト３ｃを備えている。一対の第１コンタクト３ａ・３ｂ及び複数の第２コンタクト３ｃは、ハウジング１の内部に配置されている。
【００３６】
図３又は図５を参照すると、プラグ２０は、直方体状のハウジング（相手側ハウジング）２、一対のコンタクト（第１相手側コンタクト）４ａ・４ｂ、及び七つのコンタクト（第２相手側コンタクト）４ｃを備えている。
【００３７】
図１から図３及び図５を参照すると、ハウジング２は、ヘッダ部２１とフレーム部２２で構成している。一対のコンタクト４ａ・４ｂは、一組の電源用の電線２１ｗ・２１ｗの端末を結線している。コンタクト４ｃは、信号用の電線２２ｗの端末を結線している。
【００３８】
図１又は図２を参照すると、ハウジング１は、ヘッダ部２１が嵌合する開口１１を第１側面１ａに設けている。又、ハウジング１は、開口１１に連設された空洞のコンタクト収容室１２を有している。
【００３９】
図４又は図５を参照すると、第１コンタクト３ａは、コンタクト４ａに接続するブレード状の接続片３１を有している（図１１（Ａ）参照）。第１コンタクト３ｂは、コンタクト４ｂに接続するブレード状の接続片３１を有している（図１１（Ｂ）参照）。これらの接続片３１・３１は、コンタクト収容室１２の内部で対向して配置されている（図１又は図２参照）。
【００４０】
図３又は図４を参照すると、第１コンタクト３ａは、接続片３１の基端部が連結された帯板状の放熱片３２を有している。そして、放熱片３２は、接続片３１に対向している（図１１（Ａ）参照）。第１コンタクト３ｂは、接続片３１の基端部が連結された帯板状の放熱片３２を有している。そして、放熱片３２は、接続片３１に対向している（図１１（Ｂ）参照）。
【００４１】
図１から５を参照して、プラグ２０のヘッダ部２１をベースコネクタ１０の開口１１に挿入すると、一対のコンタクト４ａ・４ｂを一対の第１コンタクト３ａ・３ｂに接続できる（図６参照）。又、コンタクト４ｃを第２コンタクト３ｃに接続できる（図７参照）。
【００４２】
引き続き、実施形態によるベースコネクタ１０の構成を説明する。図６は、前記実施形態による電気コネクタと相手側コネクタが接続された状態の縦断面図であり、図６（Ａ）は、第１相手側コンタクトと第１コンタクトが接続された状態図、図６（Ｂ）は、図６（Ａ）から第１相手側コンタクトを取り除いた状態図である。
【００４３】
図７は、前記実施形態による電気コネクタと相手側コネクタが接続された状態の縦断面図であり、図７（Ａ）は、第２相手側コンタクトと第２コンタクトが接続された状態図、図７（Ｂ）は、図７（Ａ）から第２相手側コンタクトを取り除いた状態図である。
【００４４】
図８は、前記実施形態による電気コネクタに備わるハウジングの斜視図であり、図８（Ａ）は、ハウジングを正面側から観た斜視図、図８（Ｂ）は、ハウジングを背面側から観た斜視図である。
【００４５】
図９は、前記実施形態による電気コネクタに備わるハウジングの外観図であり、図９（Ａ）は、ハウジングの平面図、図９（Ｂ）は、ハウジングの正面図、図９（Ｃ）は、ハウジングの底面図、図９（Ｄ）は、ハウジングの背面図、図９（Ｅ）は、ハウジングの右側面図、図９（Ｆ）は、図９（Ａ）のＡ−Ａ矢視断面図、図９（Ｇ）は、図９（Ａ）のＢ−Ｂ矢視断面図、である。
【００４６】
図１０は、相手側ハウジングの斜視図であり、図１０（Ａ）は、相手側ハウジングを正面側から観た斜視図、図１０（Ｂ）は、相手側ハウジングを背面側から観た斜視図である。図１１は、前記実施形態による電気コネクタに備わる第１コンタクトの斜視図であり、図１１（Ａ）は、一方の第１コンタクトの斜視図、図１１（Ｂ）は、他方の第１コンタクトの斜視図ある。
【００４７】
図１２は、前記実施形態による電気コネクタに備わる第２コンタクトの斜視図である。図１３は、前記実施形態による電気コネクタに備わる補強タブの斜視図である。
【００４８】
（第１コンタクト及びハウジングの構成）
図２又は図４及び図１１を参照すると、第１コンタクト３ａは、接続片３１及び放熱片３２の一部が突出して、プリント基板１ｐの一方の面１１ｐに形成された放熱パターン３１ｈ（図２参照）にハンダ接合できる底面３１ｂ・３２ｂを有している。同様に、第１コンタクト３ｂは、プリント基板１ｐの一方の面１１ｐに形成された放熱パターン３１ｈ（図２参照）にハンダ接合できる底面３１ｂ・３２ｂを有している。
【００４９】
図３又は図９を参照すると、ハウジング１は、第２側面１ｂから第１側面１ａに向けて貫通し、接続片３１が圧入される一対の縦長の第１貫通穴１５ａ・１５ｂを両翼に開口している。又、ハウジング１は、第２側面１ｂから第１側面１ａに向けて貫通し、放熱片３２が圧入される一対の縦長の第２貫通穴１６ａ・１６ｂを両翼に開口している。
【００５０】
図３又は図４及び図９を参照すると、一対の第１貫通穴１５ａ・１５ｂには、ハウジング１の第２側面１ｂから一対の接続片３１・３１をそれぞれ圧入できる。又、一対の第２貫通穴１６ａ・１６ｂには、ハウジング１の第２側面１ｂから一対の放熱片３２・３２をそれぞれ挿入できる。一対の第１貫通穴１５ａ・１５ｂは、コンタクト収容室１２に連通している（図９（Ｆ）参照）。そして、一対の接続片３１・３１の先端部側をコンタクト収容室１２の内部で対向配置できる（図６参照）。又、一対の第２貫通穴１６ａ・１６ｂは、それらの第２側面１ｂ側が底面に向けて切り欠かれており、放熱片３２の底面３２ｂを露出できる。
【００５１】
図３又は図４及び図９を参照すると、実施形態によるベースコネクタ１０は、ハウジング１の一方の片翼に形成された、一組の第１貫通穴１５ａ及び第２貫通穴１６ａに向かって、第１コンタクト３ａを容易に組み込むことができる。又、実施形態によるベースコネクタ１０は、ハウジング１の他方の片翼に形成された、一組の第１貫通穴１５ｂ及び第２貫通穴１６ｂに向かって、第１コンタクト３ｂを容易に組み込むことができる。
【００５２】
（第２コンタクト及びハウジングの構成）
図１２を参照すると、第２コンタクト３ｃは、基端部から突出した接続片３１ｃと挿入片３２ｃを有している。図９を参照すると、ハウジング１は、第２側面１ｂから第１側面１ａに向けて貫通し、第２コンタクト３ｃが挿入される複数の第３貫通穴１７ｃを中央部に開口している。これらの第３貫通穴１７ｃは、コンタクト収容室１２に連通している（図９（Ｇ）参照）。
【００５３】
図９（Ｂ）及び図１２を参照して、上段の第３貫通穴１７ｃには、接続片３１ｃを圧入できる。そして、接続片３１ｃの先端部側をコンタクト収容室１２の内部に配置できる（図７参照）。下段の第３貫通穴１７ｃには、挿入片３２ｃを挿入できる。第２コンタクト３ｃの基端部の底面３３ｃは、プリント基板１ｐの一方の面１１ｐに形成された信号パターン（図示せず）にハンダ接合できる（図２参照）。
【００５４】
図１又は図２及び図８を参照すると、ハウジング１の開口１１には、一対のキー１１ｋ・１１ｋを一方の内壁に設けている。一方、図１又は図２及び図５を参照すると、ハウジング２のヘッダ部２１には、一対のキー１１ｋ・１１ｋに嵌合して案内する一対のキー溝２１ｋ・２１ｋを一方の外壁に設けている。したがって、ハウジング２をハウジング１に挿入する場合に、第１コンタクト３ａ・３ｂの極性違いによる、接続誤りを防止できる。
【００５５】
図１又は図５及び図１０を参照すると、ハウジング２のヘッダ部２１には、相反する向きに突出する一対の突起２１ｂ・２１ｂを両側面に形成している。一方、ハウジング１のコンタクト収容室１２には、一対の突起２１ｂ・２１ｂが係合する一対の凸部１１ｂ・１１ｂ（図２参照）を対向する内壁に設けている。ヘッダ部２１をコンタクト収容室１２に挿入すると、一対の突起２１ｂ・２１ｂが一対の凸部１１ｂ・１１ｂを乗り越えるクリック感で挿入していることを実感できる。一方、ハウジング２のフレーム部２２を把持して、プラグ２０を引くと、一対の突起２１ｂ・２１ｂが一対の凸部１１ｂ・１１ｂを乗り越えて、プラグ２０をベースコネクタ１０から引く抜くことができる。
【００５６】
（補強タブの構成）
図１から図５及び図１３を参照すると、実施形態によるベースコネクタ１０は、一対の板状の補強タブ３ｄ・３ｅを備えている。これらの補強タブ３ｄ・３ｅは、圧入子３１１と接合子３１２を有している。一対の補強タブ３ｄ・３ｅの圧入子３１１は、ハウジング１の第１側面１ａから圧入できる。
【００５７】
図１から図５を参照して、一対の補強タブ３ｄ・３ｅをハウジング１に固定した状態で、ベースコネクタ１０をプリント基板１ｐに装着すると、一対の接合子３１２をプリント基板１ｐに開口されたスルーホール３２ｈに挿入できる。そして、一対の接合子３１２・３１２をスルーホール３２ｈにハンダ接合することで、プリント基板１ｐに対するベースコネクタ１０の接合強度を補強できる。
【００５８】
（相手側コンタクトの構成）
次に、プラグ２０に備わる一対のコンタクト４ａ・４ｂ及び複数のコンタクト４ｃの構造を説明する。なお、コンタクト４ａとコンタクト４ｂは、同じものであるが、説明の便宜上、符号を変えて区別した。そして、コンタクト４ａを代表して説明する場合がある。
【００５９】
図５を参照すると、コンタクト４ａ及びコンタクト４ｂは、展開された導電性の金属板を成形している。コンタクト４ａは、長尺状の圧着部４１とコンタクト接続部４２を備えている。圧着部４１には、電源用の電線２１ｗが接続される。コンタクト接続部４２は、圧着部４１の基端側に設けられ、接続片３１に接続される（図４参照）。
【００６０】
図５を参照すると、圧着部４１は、Ｕ字状に開口したインシュレーショングリップ４１ａとコンダクタグリップ４１ｂを備えている。インシュレーショングリップ４１ａは、電線２１ｗの被覆部を圧着している。コンダクタグリップ４１ｂは、電線２１ｗの芯線を圧着している。そして、電線２１ｗの端末を圧着した一対のコンタクト４ａ・４ｂがハウジング２の内部に挿入されている（図３参照）。
【００６１】
図５を参照すると、コンタクト接続部４２は、断面がΩ状に形成された接触部４２ａを先端部側に有している。又、コンタクト接続部４２は、箱状に成形された案内部４２ｂを基端部側に有している。接触部４２ａは、接続片３１が相対的に挿入されて、接続片３１を挟持するように接触できる。案内部４２ｂは、ハウジング２の内部の収容室２２ｈに保持される（図３参照）。
【００６２】
図５を参照すると、コンタクト４ｃは、展開された導電性の金属板を成形している。コンタクト４ｃは、長尺状の圧着部とコンタクト接続部を備えている。圧着部には、信号用の電線２２ｗが接続される。コンタクト接続部は、圧着部の基端側に設けられ、ハウジング２の内部の収容室２３ｈに保持される（図３参照）。そして、コンタクト４ｃのコンタクト接続部は、第２コンタクト３ｃの接続片３１ｃに接続される（図４参照）。
【００６３】
［電気コネクタの作用］
次に、実施形態によるベースコネクタ１０の作用及び効果を説明する。図１から図５を参照すると、実施形態によるベースコネクタ１０は、少なくとも電源用電流が供給される一対のコンタクト４ａ・４ｂ（第１相手側コンタクト）に接続する第１コンタクト３ａ・３ｂをハウジング１で覆っているので、第１コンタクト３ａ・３ｂに人体が接触する心配が無くなる。
【００６４】
又、図１又は図２を参照すると、実施形態によるベースコネクタ１０は、一対の第１コンタクト３ａ・３ｂが放熱パターン３１ｈに伝熱可能にハンダ接合しているので、プリント基板１ｐに供給する定格電流値を大きくすることが可能になる。そして、実施形態によるベースコネクタ１０を内蔵する電子機器の内部発熱を抑制することも可能になる。
【００６５】
更に、図３又は図４及び図９を参照すると、実施形態によるベースコネクタ１０は、一組の第１貫通穴及び第２貫通穴で構成された一対の貫通穴に向かって、一対の第１コンタクト３ａ・３ｂをそれぞれ容易に組み込むことができる。
【００６６】
又、図１から図５を参照すると、実施形態によるベースコネクタ１０は、プリント基板１ｐに設けたスルーホール３２ｈに挿入されて、ハンダ接合される一対の補強タブ３ｄ・３ｅを更に備えているので、プリント基板１ｐへの支持強度が補強される。
【００６７】
本発明による電気コネクタは、バッテリーを搭載する小型化したノートパソコンなどに適用するのに適している。本発明による電気コネクタを使用すれば、ノートパソコンなどの内部発熱を抑制することに貢献できる。本発明による電気コネクタを使用すれば、ノートパソコンなどを薄型化することに貢献できる。
【符号の説明】
【００６８】
１  ハウジング
１ｐ  プリント基板
２  ハウジング（相手側ハウジング）
２１ｗ  電線（電源用の電線）
３ａ・３ｂ  一対の第１コンタクト
４ａ・４ｂ  コンタクト（相手側コンタクト）
１０  ベースコネクタ（電気コネクタ）
１１  開口
１１ｐ  一方の面（プリント基板の一方の面）
１２  コンタクト収容室
２０  プラグ（相手側コネクタ）
３１  接続片
３１ｈ  放熱パターン
３２  放熱片
【図１】
0005890217.tif 000002
【図２】
0005890217.tif 000003
【図３】
0005890217.tif 000004
【図４】
0005890217.tif 000005
【図５】
0005890217.tif 000006
【図６】
0005890217.tif 000007
【図７】
0005890217.tif 000008
【図８】
0005890217.tif 000009
【図９】
0005890217.tif 000010
【図１０】
0005890217.tif 000011
【図１１】
0005890217.tif 000012
【図１２】
0005890217.tif 000013
【図１３】
0005890217.tif 000014